(57)【特許請求の範囲】
【請求項１】
浴室の天井に設置される浴室暖房乾燥機であって、前記天井に固定されるフランジ部を有する装置本体と、前記装置本体の前面に前記フランジ部から離間して取着されたフロントパネルと、を有し、前記装置本体は、前記フランジ部と前記フロントパネルとの間の隙間を吸い込み口として空気を吸い込むファンを回転駆動するファンモータと、前記ファンで吸い込まれた空気を本体ケース内で温めて温風とするヒータと、前記ヒータより下流側に配設された固定グリルと、前記固定グリルを通過した空気を吹出する吹き出し口に回動可能に支持された可動ルーバーを駆動するルーバーモータと、前記ファンモータ、前記ヒータ、前記ルーバーモータを駆動する制御部と、を備え、前記フロントパネルは長方形状であり、前記可動ルーバーは、前記フロントパネルの短辺に沿った軸にて回動可能に支持されたこと、を特徴とする浴室暖房乾燥機。
【請求項２】
前記固定グリルは、矩形状の固定枠と、前記固定枠内に配設され、それぞれが正方形に形成された複数のグリル部と、を備えたこと、を特徴とする請求項１に記載の浴室暖房乾燥機。
【請求項３】
前記複数のグリル部はそれぞれ、正方形状の支持枠と、支持枠内に設けられて風向に応じて傾いて形成された複数の羽根板とを含み、前記複数のグリル部の支持枠は、並設された２つのグリル部の風向を一致するようにグリル部の方向を設定する位置決め部を有すること、を特徴とする請求項２に記載の浴室暖房乾燥機。
【請求項４】
隣接して設置される２つのグリル部のうちの一方のグリル部の支持枠は位置決め凹部を有し、前記２つのグリル部のうちの他方のグリル部の支持枠は、前記支持枠を構成する４つの側壁のそれぞれから外側に突出し、各側壁における形成位置が互いに異なる位置決め凸部を有し、前記位置決め凹部は、対応する側板の位置決め凸部を挿入可能であること、を特徴とする請求項３に記載の浴室暖房乾燥機。
【請求項５】
前記固定枠は、４つの前記側板の位置決め凸部が挿入可能な凹部を有すること、を特徴とする請求項４に記載の浴室暖房乾燥機。
【発明の詳細な説明】
【技術分野】
【０００１】
本発明は、浴室に設置され、浴室の換気・乾燥・暖房を行うこと浴室暖房乾燥機に関するものである。
【背景技術】
【０００２】
従来、浴室には、浴室内の暖房や換気を行う浴室暖房乾燥機が設置されている（たとえば、特許文献１，２参照）。
【先行技術文献】
【特許文献】
【０００３】
【特許文献１】特開２０１４−１２２７５２号公報
【特許文献２】特開２０１４−１９４３３３号公報
【発明の概要】
【発明が解決しようとする課題】
【０００４】
ところで、上記のような浴室暖房乾燥機では、広範囲に風を送ることが求められる。このような要求に対応するためには、横長の大きなルーバーや、内部に風の流れを制御して吹き出し風を拡大する可動整流板等を必要とし、浴室暖房乾燥機の大型化を招く。
【０００５】
本発明は、上記課題を解決するためになされたものであって、その目的は、広範囲に風を送ることが可能な小型の浴室暖房乾燥機を提供することにある。
【課題を解決するための手段】
【０００６】
上記課題を解決する浴室暖房乾燥機は、浴室の天井に設置される浴室暖房乾燥機であって、前記天井に固定されるフランジ部を有する装置本体と、前記装置本体の前面に前記フランジ部から離間して取着されたフロントパネルと、を有し、前記装置本体は、前記フランジ部と前記フロントパネルとの間の隙間を吸い込み口として空気を吸い込むファンを回転駆動するファンモータと、前記ファンで吸い込まれた空気を本体ケース内で温めて温風とするヒータと、前記ヒータより下流側に配設された固定グリルと、前記固定グリルを通過した空気を吹出する吹き出し口に回動可能に支持された可動ルーバーを駆動するルーバーモータと、前記ファンモータ、前記ヒータ、前記ルーバーモータを駆動する制御部と、を備え、前記フロントパネルは長方形状であり、前記可動ルーバーは、前記フロントパネルの短辺に沿った軸にて回動可能に支持される。
【発明の効果】
【０００７】
本発明の浴室暖房乾燥機によれば、小型で広範囲に風を送ることができる。
【図面の簡単な説明】
【０００８】
【図１】（ａ）は浴室を示す斜視図、（ｂ）は浴室の側断面図である。
【図２】浴室暖房乾燥機の断面図である。
【図３】浴室暖房乾燥機の断面図である。
【図４】浴室暖房乾燥機の分解斜視図である。
【図５】（ａ）は固定グリルの平面図、（ｂ）は固定グリルの断面図である。
【図６】固定グリルの分解斜視図である。
【図７】（ａ）〜（ｄ）は固定グリルの設定例を示す平面図である。
【図８】浴室暖房乾燥機の電気的構成を示すブロック図である。
【発明を実施するための形態】
【０００９】
以下、一実施形態を説明する。
【００１０】
図１（ａ）に示すように、浴室１の天井２には浴室暖房乾燥機１０が設置されている。図１（ｂ）に示すように、浴室暖房乾燥機１０は、天井にあって、浴槽３の上方位置に設置されている。
【００１１】
浴室暖房乾燥機１０は、装置本体１１と、その装置本体１１の前面（施工後において下面）に固定されたフロントパネル１２とを有している。装置本体１１はフランジ部１１ａを有し、そのフランジ部１１ａが図示しないネジにより天井２に固定されている。フロントパネル１２は、装置本体１１の前面に取着されている。
【００１２】
図４に示すように、装置本体１１のフランジ部１１ａには、４つの支持柱１１ｂが前方に向かって突出形成されている。フロントパネル１２には、支持柱１１ｂに対応する４つの固定片１２ａが後方に向かって突出形成されている。各固定片１２ａにはネジ穴が形成されている。固定片１２ａは、支持柱１１ｂの外側に配置され、図示しないネジにより支持柱１１ｂに固定される。支持柱１１ｂと固定片１２ａは、フロントパネル１２を装置本体１１から離間して固定する固定部材を構成する。
【００１３】
図１（ｂ）に示すように、装置本体１１のフランジ部１１ａとフロントパネル１２との間には、図４に示す支持柱１１ｂと固定片１２ａとからなる固定部材により取り込み口１３が形成される。浴室暖房乾燥機１０は、取り込み口１３から取り込んだ空気を、装置本体１１の吹き出し口２９から浴室１内に吹出する。また、浴室暖房乾燥機１０は、取り込み口１３から取り込んだ空気を、屋外に排出する。なお、取り込み口１３から取り込んだ空気の一部を浴室１内に吹出し、残りの空気を屋外に排出することも可能である。
【００１４】
フロントパネル１２は長方形状に形成され、長辺方向の一端に吹き出し口２９に対応する開口１２ｂが形成されている。吹き出し口２９には可動ルーバー３０が取着されている。可動ルーバー３０は、フロントパネル１２の短辺方向に沿って延びる長方形の板状に形成されている。
【００１５】
たとえば、図１（ａ）に示すように、浴室暖房乾燥機１０は、その長手方向を、浴室１内の浴槽３が配設された壁面４に沿って延びるように配置されている。可動ルーバー３０の回動により、浴室暖房乾燥機１０から吹出される空気は、図１（ａ）において左右方向にその風向が変更される。
【００１６】
図２に示すように、装置本体１１は、本体ケース２１を有し、その本体ケース２１にファンモータ２２が固定されている。そのファンモータ２２の回転軸にはファン２３が回転軸と一体回転可能に固定されている。ファンモータ２２の動作に基づいてファン２３が回転する。そして、ファン２３の回転に基づいて、浴室１（図１（ｂ）参照）の空気が装置本体１１内に取り込まれる。
【００１７】
ファン２３の下流側には、ダンパ２４が配設されている。ダンパ２４は、後述する切替モータ４５により、図２に示す排気位置と、図３に示す循環位置との間で回動される。図２に示す排気位置において、ダンパ２４は、ファン２３からの空気を排気アダプタ２５へと導く。排気アダプタ２５には、図示しないダクトが接続され、そのダクトを介して空気が屋外に排出される。
【００１８】
図３に示す循環位置において、ダンパ２４は、ファン２３からの空気を循環通路２６へと導く。循環通路２６には、その循環通路２６の一部を塞ぐようにヒータ２７が配設されている。ヒータ２７は、たとえばセラミックヒータである。また、循環通路２６には、ヒータ２７の下流側に固定グリル２８が配設されている。ダンパ２４により循環通路へと導かれた空気は、ヒータ２７を通過して暖められた空気と、ヒータ２７を通過しない空気とが固定グリル２８を介して吹き出し口２９へと導かれ、浴室１内（図１（ｂ）参照）に吹出される。
【００１９】
次に、上記の浴室暖房乾燥機１０の電気的構成を説明する。
【００２０】
図８に示す制御部４１は、あらかじめ設定されたプログラムに基づいて動作するマイコン及びマイコンと各機器を接続するためのインターフェースを備える。制御部４１は、リモコン４２、温度センサ４３に接続されている。
【００２１】
リモコン４２は、たとえば浴室の外側壁面に取着される。リモコン４２は、浴室暖房乾燥機１０の稼動・停止や、作動時間や浴室１内の温度等を設定するための各種のスイッチを有している。制御部４１には、リモコン４２から出力される操作信号が入力される。
【００２２】
温度センサ４３は、浴室１内の温度を測定する。たとえば、温度センサ４３は、浴室暖房乾燥機１０内の流路において、ヒータ２７の上流側に配置され、通過する空気の温度を検出する。制御部４１には、温度センサ４３から出力される検出信号が入力される。
【００２３】
制御部４１にはファンモータ２２，ルーバーモータ４４，切替モータ４５が接続されている。ルーバーモータ４４は、図２に示す可動ルーバー３０を回動するモータであり、たとえばステッピングモータである。切替モータ４５は、図２に示すダンパ２４を回動するモータでありたとえばステッピングモータである。制御部４１は、設定されたプログラムに基づいて各モータの動作を制御する。
【００２４】
また、制御部４１には、ヒータ２７が接続されている。制御部４１は、温度センサからの検出信号に基づいて、浴室１内の温度を設定温度とするようにヒータ２７を制御する。
【００２５】
図５（ａ）に示すように、固定グリル２８は、固定枠５０と、固定枠５０内に配設された２つの第１のグリル部６０，第２のグリル部７０とを有している。
【００２６】
固定枠５０は、長方形状に形成された壁部５１を有し、その壁部５１内に２つの第１のグリル部６０，第２のグリル部７０を収容する。第１のグリル部６０，第２のグリル部７０は、それぞれ平面視において正方形状に形成されている。
【００２７】
固定枠５０は、壁部５１から外側に突出する固定部５２を有している。固定部５２には、厚さ方向に固定部５２を貫通するネジ穴５２ａが形成され、そのネジ穴５２ａに挿通した図示しないネジにより装置本体１１に固定グリル２８が固定される。
【００２８】
第１のグリル部６０は、正方形状に形成された支持枠６１と、その支持枠６１内にあって支持枠６１と接続された複数の羽根板６２を有している。第２のグリル部７０は、正方形状に形成された支持枠７１と、その支持枠７１内にあって支持枠７１と接続された複数の羽根板７２を有している。
【００２９】
図６に示すように、壁部５１の内側下端には、内側に向かって係止部５３が突出形成されている。壁部５１の短辺５１ａの内側上端には内側に向かって係止部５４ａが突出形成されている。また、壁部５１の長辺５１ｂ，５１ｃの中央内側上端には内側に向かって係止部５４ｂ，５４ｃが突出形成されている。また、壁部５１の短辺５１ｄには、爪部５５が形成されている。係止部５４ａ，５４ｂ，５４ｃは、第１のグリル部６０の支持枠６１と上下方向において係合し、第１のグリル部６０を保持する。同様に係止部５４ａ，５４ｂと爪部５５は、第２のグリル部７０の支持枠７１と上下方向において係合し、第２のグリル部７０を保持する。
【００３０】
図５（ａ）に示すように、各羽根板６２は、平面視において、中央に支持枠６１と平行に伸びる第１の風向部６２ａと、その第１の風向部６２ａの両端からそれぞれ支持枠６１に向かって、第１の風向部６２ａと所定の角度を成すように延びる第２の風向部６２ｂ，６２ｃを有している。
【００３１】
図５（ｂ）に示すように、各羽根板６２の第１の風向部６２ａは、支持枠６１と直交する方向の軸（設置時において鉛直線の方向）に対して所定の角度を成すように傾いている。そして、第２の風向部６２ｂ，６２ｃは、第１の風向部６２ａと同様に傾いている。
【００３２】
したがって、第１のグリル部６０は、吹き出し口２９から吐出される空気に対して、羽根板６２の鉛直線に対する角度に応じた方向に応じて一定の風向を与える。第１のグリル部６０が吹き出す空気に与える方向は、支持枠６１の風向表示部６３にて示される。
【００３３】
また、第１の風向部６２ａに対して角度を成すように形成された第２の風向部６２ｂ，６２ｃは、それぞれの角度に応じて、第１のグリル部６０を通過する空気に対して、図５（ａ）において上下方向への風向を与える。したがって、第２の風向部６２ｂ，６２ｃは、第１のグリル部６０の幅（図において上下方向の幅）に対して通過する空気を拡大する。
【００３４】
第２のグリル部７０は、第１のグリル部６０と同様である。つまり、図５（ａ）に示すように、各羽根板７２は、平面視において、中央に支持枠７１と平行に伸びる第１の風向部７２ａと、その第１の風向部７２ａの両端からそれぞれ支持枠７１に向かって、第１の風向部７２ａと所定の角度を成すように延びる第２の風向部７２ｂ，７２ｃを有している。
【００３５】
図５（ｂ）に示すように、各羽根板７２の第１の風向部７２ａは、支持枠７１と直交する方向の軸（設置時において鉛直線の方向）に対して所定の角度を成すように傾いている。そして、第２の風向部７２ｂ，７２ｃは、第１の風向部７２ａと同様に傾いている。
【００３６】
したがって、第２のグリル部７０は、吹き出し口２９から吐出される空気に対して、羽根板７２の鉛直線に対する角度に応じた方向に応じて一定の風向を与える。第２のグリル部７０が吹き出す空気に与える方向は、支持枠７１の風向表示部７３にて示される。
【００３７】
また、第１の風向部７２ａに対して角度を成すように形成された第２の風向部７２ｂ，７２ｃは、それぞれの角度に応じて、第２のグリル部７０を通過する空気に対して、図５（ａ）において上下方向への風向を与える。したがって、第２の風向部７２ｂ，７２ｃは、第２のグリル部７０の幅（図において上下方向の幅）に対して通過する空気を拡大する。
【００３８】
図６に示すように、第１のグリル部６０の支持枠６１は４つの側板６１ａ〜６１ｄにより構成され、各側板６１ａ〜６１ｄには、それぞれ位置決め凹部６４ａ〜６４ｄが形成されている。各位置決め凹部６４ａ〜６４ｄにおいて、側板６１ａ〜６１ｄに沿った方向の長さは互いに等しい。各側板６１ａ〜６１ｄにおける位置決め凹部６４ａ〜６４ｄの形成位置、たとえば各側板６１ａ〜６１ｄの端部からの距離が互いに異なっている。
【００３９】
第２のグリル部７０の支持枠７１は４つの側板７１ａ〜７１ｄにより構成されている。支持枠７１は、支持枠７１の各側板７１ａ〜７１ｄから外側に向かって突出する位置決め凸部７４ａ〜７４ｄを有している。各位置決め凸部７４ａ〜７４ｄにおいて、側板７１ａ〜７１ｄに沿った方向の長さは互いに等しい。各側板７１ａ〜７１ｄにおいて、各位置決め凸部７４ａ〜７４ｄの形成位置、たとえば各側板７１ａ〜７１ｄの端部から距離が互いに異なっている。
【００４０】
そして、位置決め凹部６４ａ〜６４ｄ及び位置決め凸部７４ａ〜７４ｄの形成位置は、第１のグリル部６０の側板６１ａ〜６１ｄと第２のグリル部７０の側板７１ａ〜７１ｄのうち、対応する側板に応じて設定されている。対応する側板は、第１のグリル部６０と第２のグリル部７０とを、それぞれの羽根板６２，７２による風向を一致させるように並設した場合に互いに対向する側板である。
【００４１】
たとえば、図５（ａ）に示すように、第１のグリル部６０と第２のグリル部７０の風向を図において左方向とする。このとき、第１のグリル部６０の側板６１ｃと、第２のグリル部７０の側板７１ｃとが互いに隣接する。そして、第１のグリル部６０の側板６１ｃの位置決め凹部６４ｃに、第２のグリル部７０の側板７１ａの位置決め凸部７４ａが挿入される。そして、側板７１ｂ，７１ｃ，７１ｄに形成された位置決め凸部７４ｂ，７４ｃ，７４ｄは、位置決め凸部７４ａと形成位置が異なるため、第２のグリル部７０を９０度間隔で回転させても、側板７１ｂ，７１ｃ，７１ｄは、第１のグリル部６０の側板６１ｃに隣接しない。
【００４２】
したがって、位置決め凹部６４ａ〜６４ｄと位置決め凸部７４ａ〜７４ｄは、第１のグリル部６０の側板と第２のグリル部７０の側板とを隣接させたときに、第１のグリル部６０の風向と第２のグリル部７０の風向とが一致するように設定されている。言い換えれば、位置決め凹部６４ａ〜６４ｄと位置決め凸部７４ａ〜７４ｄは、風向が互いに異なる第１のグリル部６０及び第２のグリル部７０の隣接を禁止する。つまり、このように互いに異なる風向となるような配置が防止される。
【００４３】
図６に示すように、固定枠５０の一端側には、複数の位置決め凹部５６が形成され、他端側には位置決め凹部が形成されていない。位置決め凹部５６には、第２のグリル部７０の位置決め凸部７４ａ〜７４ｄが挿入される。そして、これらの位置決め凹部５６は、第２のグリル部７０の方向にかかわらず、位置決め凸部７４ａ〜７４ｄを挿入可能に形成されている。そして、固定枠５０において、位置決め凹部が形成されていない部分には、第２のグリル部７０は装着することができない。つまり、この位置決め凹部が形成されていない部分には、第１のグリル部６０のみが装着可能である。
【００４４】
第２のグリル部７０には、固定枠５０の爪部５５に対応する係合凹部７５が、各側板７１ａ〜７１ｄに形成されている。そして、第１のグリル部６０には、係合凹部が形成されていない。したがって、爪部５５が形成された部分には、第２のグリル部７０のみが装着可能である。したがって、第１のグリル部６０と第２のグリル部７０とを、それぞれの位置に確実に装着することができる。また、１つの固定枠５０に対して第１のグリル部６０を２つ装着するようなミスの発生を防止することができる。
【００４５】
次に、上記の浴室暖房乾燥機１０の作用を説明する。
【００４６】
図１（ａ）に示すように、浴室暖房乾燥機１０は、その長手方向を、浴室１内の浴槽３が配設された壁面４に沿って延びるように配置されている。図８に示す制御部４１は、ルーバーモータ４４を駆動する。そのルーバーモータ４４の動作により図１（ａ）に示す可動ルーバー３０が図において左右方向に回動する。そして、により、浴室暖房乾燥機１０から吹出される空気は、図１（ａ）において左右方向にその風向が変更される。このように、浴槽３上方の天井２に設置された浴室暖房乾燥機１０は、可動ルーバー３０により、図に示す左右方向において、浴室１の広範囲に空気を吹き出す。
【００４７】
また、図２，図３に示すように、可動ルーバー３０の上流には固定グリル２８が配設されている。この固定グリル２８は、図５（ａ）に示すように、第１のグリル部６０と第２のグリル部７０を有している。
【００４８】
図５（ａ）に示すように、第１のグリル部６０は、正方形状の支持枠６１と、その支持枠６１内の複数の羽根板６２を有している。図５（ｂ）に示すように、各羽根板６２は、固定グリル２８の支持枠６１と直交する方向に対して傾いている。この傾きにより、各羽根板６２は、固定グリル２８を通過する空気の風向を、その傾きに応じた方向とする。第２のグリル部７０は、第１のグリル部６０と同様に、正方形状の支持枠７１と、その支持枠７１内の複数の羽根板７２とを有し、羽根板７２は、固定グリル２８を通過する空気の風向を、その傾きに応じた方向とする。
【００４９】
そして、第１のグリル部６０の風向と第２のグリル部７０の風向は、互いに同一方向である。そして、固定グリル２８における風向は、図１（ｂ）に示すように設置された浴室暖房乾燥機１０において、左下方向、つまり、浴室１の洗い場に向かう方向である。したがって、この浴室暖房乾燥機１０は、浴室１の全体に対して広範囲に空気を吹き出す。
【００５０】
図５（ａ）に示すように、羽根板６２は、中央の第１の風向部６２ａと、その第１の風向部６２ａの両端から支持枠７１まで延び、第１の風向部６２ａに対して所定の角度を成す第２の風向部６２ｂ，６２ｃとを有している。第２の風向部６２ｂ，６２ｃは、第１の風向部６２ａに対して同一方向（図において右方向）に傾斜している。つまり、第２の風向部６２ｂ，６２ｃは、第１の風向部６２ａの両端部から、第１の風向部６２ａに対して逆方向に傾いている。第２の風向部６２ｂ，６２ｃは、それぞれと直交する方向を、通過する空気の風向とする。したがって、第２の風向部６２ｂは、図において左上方向をその風向とし、第２の風向部６２ｃは、図において左下方向をその風向とする。第２のグリル部７０は、第１のグリル部６０と同様である。したがって、第１のグリル部６０と第２のグリル部７０は、固定グリル２８を通過する空気を、固定グリル２８の幅方向に拡大する。
【００５１】
図７（ａ）〜図７（ｄ）は、第１のグリル部６０と第２のグリル部７０の方向の設定例を示す。なお、図７（ａ）〜図７（ｄ）では、一部の符号を省略している。
【００５２】
たとえば、図７（ａ）に示すように、第１のグリル部６０と第２のグリル部７０とを、それぞれの風向表示部６３，７３を図において左方向として配置する。第１のグリル部６０の位置決め凹部６４ｃに第２のグリル部７０の位置決め凸部７４ａが挿入される。これにより、第１のグリル部６０の側板６１ｃと、第２のグリル部７０の側板７１ａとが互いに隣接する。このとき、第１のグリル部６０と第２のグリル部７０を通過する空気は、風向表示部６３，７３が示すように、図において左方向に向かって吹き出される。
【００５３】
また、図７（ｂ）に示すように、第１のグリル部６０と第２のグリル部７０とを、それぞれの風向表示部６３，７３を図において下方向として配置する。第１のグリル部６０の位置決め凹部６４ｄに第２のグリル部７０の位置決め凸部７４ｂが挿入され、第１のグリル部６０の側板６１ｄと、第２のグリル部７０の側板７１ｂとが互いに隣接する。そして、第１のグリル部６０と第２のグリル部７０を通過する空気は、風向表示部６３，７３が示すように、図において下方向に向かって吹き出される。
【００５４】
同様に、図７（ｃ）に示すように、第１のグリル部６０と第２のグリル部７０とを、それぞれの風向表示部６３，７３を図において右方向として配置する。第１のグリル部６０の位置決め凹部６４ａに第２のグリル部７０の位置決め凸部７４ｃが挿入され、第１のグリル部６０の側板６１ａと、第２のグリル部７０の側板７１ｃとが互いに隣接する。そして、第１のグリル部６０と第２のグリル部７０を通過する空気は、風向表示部６３，７３が示すように、図において右方向に向かって吹き出される。
【００５５】
そして、図７（ｄ）に示すように、第１のグリル部６０と第２のグリル部７０とを、それぞれの風向表示部６３，７３を図において上方向として配置する。第１のグリル部６０の位置決め凹部６４ｂに第２のグリル部７０の位置決め凸部７４ｄが挿入され、第１のグリル部６０の側板６１ｂと、第２のグリル部７０の側板７１ｄとが互いに隣接する。そして、第１のグリル部６０と第２のグリル部７０を通過する空気は、風向表示部６３，７３が示すように、図において上方向に向かって吹き出される。
【００５６】
このように、第１のグリル部６０の風向表示部６３と第２のグリル部７０の風向表示部７３とにより、それぞれを通過する空気の風向が把握され、第１のグリル部６０と第２のグリル部７０とが容易に配設される。そして、第１のグリル部６０の支持枠６１に形成された位置決め凹部６４ａ〜６４ｄに対して、第２のグリル部７０の支持枠７１に形成された位置決め凸部７４ａ〜７４ｄを挿入することで、第１のグリル部６０の風向と第２のグリル部７０の風向とが容易に同一方向となる。
【００５７】
そして、第１のグリル部６０と第２のグリル部７０とをそれぞれ正方形状とした、このため、図７（ａ）〜図７（ｄ）に示すように、長方形状の固定グリル２８において、４方向の風向が設定される。このため、浴室暖房乾燥機１０の設置状態や要望に応じて風向を変更することが可能となる。たとえば、図１（ａ）において、浴室暖房乾燥機１０の左右を逆に設置した場合、図７（ｃ）に示すように第１のグリル部６０と第２のグリル部７０の向きを設定する。これにより、図１（ａ）において、浴室暖房乾燥機１０から図面手前側に向かって空気を吹出させることができる。
【００５８】
たとえば、１枚の長方形状の固定グリルを用いた場合、その固定グリルでは風向を２方向しか設定できないため、風向の設定に可動グリル等を必要とする。この点、本実施形態では、第１のグリル部６０と第２のグリル部７０との方向に応じて風向の設定が可能であり、風向の設定に可動グリル等を必要としないため、浴室暖房乾燥機１０を小型化することができる。
【００５９】
また、１枚の長方形状の固定グリルを用いた場合、その風向の設定のため、点対象形とし、ネジ等の固定のために２つの固定部を必要とする。この点、本実施形態では、１つの固定部５２のみで固定グリル２８を固定することができる。このため、固定グリル２８を設置する場所が小さく、小型化を図ることができる。
【００６０】
以上記述したように、本実施形態によれば、以下の効果を奏する。
【００６１】
（１）浴室１の天井２には浴室暖房乾燥機１０が設置されている。浴室暖房乾燥機１０は、天井にあって、浴槽３の上方位置に設置されている。浴室暖房乾燥機１０の吹き出し口２９には可動ルーバー３０が取着されている。可動ルーバー３０は、フロントパネル１２の短辺方向に沿って延びる長方形の板状に形成されている。
【００６２】
浴室暖房乾燥機１０は、その長手方向を、浴室１内の浴槽３が配設された壁面４に沿って延びるように配置されている。可動ルーバー３０の回動により、浴室暖房乾燥機１０から吹出される空気の風向が変更される。したがって、小型の浴室暖房乾燥機１０により、浴室１の広範囲に空気を吹き出すことができる。
【００６３】
（２）固定グリル２８は、第１のグリル部６０と第２のグリル部７０とを有している。第１のグリル部６０と第２のグリル部７０とをそれぞれ正方形状である。したがって、第１のグリル部６０と第２のグリル部７０とを９０度毎に回転して固定枠５０に設定することで、長方形状の固定グリル２８において、４方向の風向を設定することができる。これにより、浴室暖房乾燥機１０の設置状態等に応じて空気が吹出する方向を設定することができる。そして、可動グリル等を必要としないので、浴室暖房乾燥機１０を小型化することができる。
【００６４】
（３）第１のグリル部６０の支持枠６１には位置決め凹部６４ａ〜６４ｄが形成され、第２のグリル部７０の支持枠７１には位置決め凸部７４ａ〜７４ｄが形成されている。支持枠６１の各側板６１ａ〜６１ｄにおける位置決め凹部６４ａ〜６４ｄの形成位置、たとえば各側板６１ａ〜６１ｄの端部からの距離が互いに異なっている。支持枠７１の各側板７１ａ〜７１ｄにおいて、各位置決め凸部７４ａ〜７４ｄの形成位置、たとえば各側板７１ａ〜７１ｄの端部から距離が互いに異なっている。そして、位置決め凹部６４ａ〜６４ｄと位置決め凸部７４ａ〜７４ｄは、第１のグリル部６０の側板と第２のグリル部７０の側板とを隣接させたときに、第１のグリル部６０の風向と第２のグリル部７０の風向とが一致するように設定されている。したがって、第１のグリル部６０の風向と、第２のグリル部７０の風向を容易に一致させることができる。また、第１のグリル部６０と第２のグリル部７０とを、風向が異なる向きに配置することを防止することができる。
【００６５】
尚、上記各実施形態は、以下の態様で実施してもよい。
【００６６】
・図５（ａ）に示すように、第１のグリル部６０において、第１の風向部６２ａと、第１の風向部６２ａと所定の角度を成す第２の風向部６２ｂ，６２ｃとにより羽根板６２を構成したが、直線状の羽根板としてもよい。同様に、第２のグリル部７０において、第１の風向部７２ａと、第１の風向部７２ａと所定の角度を成す第２の風向部７２ｂ，７２ｃとにより羽根板６２を構成したが、直線状の羽根板としてもよい。また、各羽根部を曲線状としてもよい。
【００６７】
・上記実施形態では、２つの第１のグリル部６０，第２のグリル部７０を有する固定グリル２８としたが、３つ以上のグリル部を有する固定グリルとしてもよい。
【００６８】
・図１（ａ），図１（ｂ）に示す浴室暖房乾燥機１０の設置方向・設置場所は一例であり、浴室の形状や要望に応じて適宜変更してもよい。
【００６９】
次に、上記実施形態及び別例から把握できる技術的思想を以下に付記として記載する。
【００７０】
（付記１）浴室の天井に設置される浴室暖房乾燥機であって、
前記天井に固定されるフランジ部を有する装置本体と、
前記装置本体の前面に前記フランジ部から離間して取着されたフロントパネルと、
を有し、
前記装置本体は、
前記フランジ部と前記フロントパネルとの間の隙間を吸い込み口として空気を吸い込むファンを回転駆動するファンモータと、
前記ファンで吸い込まれた空気を本体ケース内で温めて温風とするヒータと、
前記ヒータより下流側に配設された固定グリルと、
前記固定グリルを通過した空気を吹出する吹き出し口に回動可能に支持された可動ルーバーを駆動するルーバーモータと、
前記ファンモータ、前記ヒータ、前記ルーバーモータを駆動する制御部と、
を備え、
前記フロントパネルは長方形状であり、前記可動ルーバーは、前記フロントパネルの短辺に沿った軸にて回動可能に支持されたこと、を特徴とする浴室暖房乾燥機。
【００７１】
（付記２）前記固定グリルは、
矩形状の固定枠と、
前記固定枠内に配設され、それぞれが正方形に形成された複数のグリル部と、
を備えたこと、
を特徴とする付記１に記載の浴室暖房乾燥機。
【００７２】
（付記３）前記複数のグリル部はそれぞれ、正方形状の支持枠と、支持枠内に設けられて風向に応じて傾いて形成された複数の羽根板とを含み、
前記複数のグリル部の支持枠は、並設された２つのグリル部の風向を一致するようにグリル部の方向を設定する位置決め部を有すること、
を特徴とする付記２に記載の浴室暖房乾燥機。
【００７３】
（付記４）隣接して設置される２つのグリル部のうちの一方のグリル部の支持枠は位置決め凹部を有し、
前記２つのグリル部のうちの他方のグリル部の支持枠は、前記支持枠を構成する４つの側壁のそれぞれから外側に突出し、各側壁における形成位置が互いに異なる位置決め凸部を有し、
前記位置決め凹部は、対応する側板の位置決め凸部を挿入可能であること、
を特徴とする付記３に記載の浴室暖房乾燥機。
【００７４】
（付記５）前記固定枠は、４つの前記側板の位置決め凸部が挿入可能な凹部を有すること、
を特徴とする付記４に記載の浴室暖房乾燥機。
【産業上の利用可能性】
【００７５】
本発明にかかる浴室暖房乾燥機は、浴室内の暖房、換気、浴室内の乾燥（たとえば、洗濯物の乾燥）に使用可能である。
【符号の説明】
【００７６】
１      浴室
２      天井
１０    浴室暖房乾燥機
１１    装置本体
１１ａ  フランジ部
１２    フロントパネル
２２    ファンモータ
２３    ファン
２７    ヒータ
２８    固定グリル
２９    吹き出し口
３０    可動ルーバー
４１    制御部
４４    ルーバーモータ
５０    固定枠
５６    位置決め凹部
６０    第１のグリル部
６１    支持枠
６１ａ  側板
６１ｂ  側板
６１ｃ  側板
６１ｄ  側板
６２    羽根板
６４ａ  位置決め凹部
６４ｂ  位置決め凹部
６４ｃ  位置決め凹部
６４ｄ  位置決め凹部
７０    第２のグリル部
７１    支持枠
７１ａ  側板
７１ｂ  側板
７１ｃ  側板
７１ｄ  側板
７２    羽根板
７４ａ  位置決め凸部
７４ｂ  位置決め凸部
７４ｃ  位置決め凸部
７４ｄ  位置決め凸部
【図１】
0006421334.tif 000002
【図２】
0006421334.tif 000003
【図３】
0006421334.tif 000004
【図４】
0006421334.tif 000005
【図５】
0006421334.tif 000006
【図６】
0006421334.tif 000007
【図７】
0006421334.tif 000008
【図８】
0006421334.tif 000009